(57)【特許請求の範囲】
【請求項１】
各種の注射薬（５）を収納する注射薬収納部（２）と、該注射薬収納部（２）から払い出された注射薬（５）を収容するための空のトレイ（６）を収納する空トレイ収納部（３）と、注射薬（５）を収容したトレイ（６）を保管する注射薬収容済トレイ保管部（４）とを、空トレイ収納部（３）が注射薬収納部（２）と注射薬収容済トレイ保管部（４）との間に位置するように横一列に順に備えた注射薬払出装置において、前記注射薬収納部（２）は、着脱自在な複数の収納ユニットが横一列で連設されて構成され、各収納ユニットの下部には収納ユニットから排出された注射薬（５）を前記空トレイ収納部（３）側へ搬送する搬送コンベア（２ｃ）がそれぞれ設けられ、各収納ユニットの搬送コンベア（２ｃ）は互いに一直線状であって注射薬（５）を搬送コンベア（２ｃ）間で受け渡して空トレイ収納部（３）側へと搬送することを特徴とする注射薬払出装置。
【請求項２】
注射薬収容済トレイ保管部（４）が着脱自在な複数の収納ユニットの連接によって形成された請求項１記載の注射薬払出装置。
【発明の詳細な説明】
【０００１】
【発明の属する技術分野】
本発明は、注射薬払出装置に関し、更に詳しくは、各種病院等に設置され、且つ主としてアンプル等の注射薬を、患者毎の処方箋等に従って適宜払い出すための注射薬払出装置に関する。
【０００２】
【従来の技術】
従来、この種注射薬払出装置としては、例えば、特開平７−８８１５９号公報所載のものが存在する。
【０００３】
即ち、上記公報所載の注射薬払出装置は、注射薬収容容器（図示せず）を収納した容器ストッカ１３と、各種の注射薬（図示せず）をカートリッジ１４ａの夫々に収納すると共に、前記容器ストッカ１３から取り出されて搬送コンベア（図示せず）で搬出された注射薬収容容器に、カートリッジ１４ａ内に収納されてなる各種注射薬を適宜の取り出し機構、片寄せ機構及び垂直コンベア（図示せず）を介して一本づつ整列させて収納する機能を有した注射薬収納庫１４と、注射薬が収容された注射薬収容容器に、処方箋等の内容をトレイラベル（図示せず）に印字して貼り付ける印字ユニット１５と、トレイラベルが貼り付けられた注射薬収容容器を保管する保管庫１６と、使用時に前記トレイラベル等の各種諸事項を監査する監査ユニット１７とから構成されてなるものである。
【０００４】
【発明が解決しようとする課題】
然しながら、上記構成からなる注射薬払出装置に於いては、下記の様な問題点があった。
即ち、上記構成からなる注射薬払出装置は、スタート時に容器ストッカ１３から注射薬収容容器を取り出し、その後搬送コンベアを介して注射薬収容容器を注射薬収納庫１４まで搬送した後、該注射薬収納庫１４のカートリッジ１４ａ内に収納されてなる各種注射薬を適宜の取り出し機構、片寄せ機構及び垂直コンベアを介して一本づつ注射薬収容容器内に整列させて収納することから、注射薬収納庫１４に必ず注射薬の取り出し機構、片寄せ機構及び垂直コンベアを具備させなければならず、よって注射薬収納庫１４の製品コストが著しく高騰するだけでなく各種メンテナンスも煩雑なものとなる。
【０００５】
更に、前記各種の機構を備えるためには、各種機構の取付けスペースも必要となり、必然的にカートリッジ１４ａ内に収納される各種注射薬の収納数が制限されることになる。
よって、各種注射薬の収納数をある程度確保しようとすれば注射薬収納庫１４を大型化しなければならず、このことは各種分野の装置が近年共通の課題とする省スペース化に大きく反するが、例えばこの事を承知の上で一旦大型の注射薬収納庫１４を購入した場合において、取り扱う注射薬の数が激減した場合には、注射薬収納庫１４に多くの注射薬空部が生じることとなり、注射薬収納庫１４の設置スペースを考えれば極めて無駄であり、又取り扱う注射薬の数が激増した場合には、更に大型の注射薬収納庫１４に入れ替えなければならず、経済的にも設置スペース等に関しても問題が生じることになる。
【０００６】
更に、上記構成からなる注射薬払出装置は、容器ストッカ１３、注射薬収納庫１４及び保管庫１６と順次並べられてなることから、前記容器ストッカ１３への空の注射薬収容容器の収納（補充）作業と保管庫１６からの注射薬が収容された注射薬収容容器の取り出し作業を離れた場所で行わなければならず、よって作業効率も著しく低下するという種々の極めて重大な問題が生じていた。
【０００７】
然して、本発明は上記問題点を解決するものであり、注射薬収納庫の製品コストを低減させつつ各種メンテナンスも極めて簡単で、しかも最少のスペースに最大数の注射薬を収納することが出来るだけでなく、更に取り扱う注射薬の数が著しく増減した場合でも注射薬収納部の注射薬の収納数を増減可能で、しかも注射薬の収納数の増減に対応して注射薬を収容したトレイの保管数をも増減させることが出来、更に空トレイ収納部への空のトレイの収納（補充）作業と注射薬収容済トレイ保管部からの注射薬収納済トレイの取り出し作業に係る作業効率を確実に、且つ著しく向上させることが出来る極めて優れた注射薬払出装置を提供することを課題とするものである。
【０００８】
【課題を解決するための手段】
本発明は、上記課題を解決するために全く新しい注射薬払出装置を発明し、以下の手段を講じたものである。
【００１０】
注射薬収納部２が着脱自在な複数の収納ユニットの連接によって形成されてなることから、取り扱う注射薬５の数が著しく激増した場合でも必要な注射薬専用の収納ユニットを順次連接するだけで瞬時に対応することが出来るだけでなく、取り扱う注射薬５の数が激減した場合でも不要の注射薬収納ユニットを順次取り外すだけで、注射薬収納部２の設置スペースを、取り扱う注射薬５の数に対応させて最低限に止めることが可能となり、しいては設置スペース等を最大限に有効利用することが出来る利点を有する。また、注射薬収容済トレイ保管部４も着脱自在な複数の収納ユニットの連接によって形成される場合には、注射薬５の増減に対応させて注射薬５を収容したトレイ６の保管数をも注射薬収容済トレイ専用の収納ユニットの着脱を介して増減させることが出来る利点がある。
【００１１】
更に、本発明の注射薬払出装置１は、空トレイ収納部３が注射薬収納部２と注射薬収容済トレイ保管部４との間に設けられてなることから、スタート時に所定の注射薬５を注射薬収納部２から排出させ、その後排出された注射薬５を搬送コンベア２ｃによって搬送すると共に、該搬送コンベア２ｃの排出部１２にて排出される注射薬５を、待ち構えるトレイ６で受けるだけでトレイ６内に順次注射薬５を落とし込むことが可能となる。よって、注射薬収納部２には所定の注射薬５を排出するだけの機構があればよいことから注射薬収納部２の製品コストを低減させつつ各種メンテナンスも極めて簡単で、しかも最少のスペースに最大数の注射薬５を収納することが出来るだけでなく、取り扱う注射薬５の数が著しく激増した場合でも必要な注射薬収納ユニットを順次連接するだけで瞬時に対応可能で、且つ取り扱う注射薬５の数が激減した場合でも不要の注射薬収納ユニットを順次取り外すだけで、注射薬収納部２の設置スペースを、取り扱う注射薬５の数に対応させて最低限に止めることが可能となり、しいては設置スペース等を最大限に有効利用することが出来る利点を有する。
【００１２】
更に、前記空トレイ収納部３が、注射薬収納部２と注射薬収容済トレイ保管部４との間に設けられてなることから、注射薬５を受けた注射薬収納済トレイ６を即時注射薬収容済トレイ保管部４で保管することが可能となって注射薬５の払い出しから保管までのサイクルを短縮させて装置稼動率を向上させることが出来るだけでなく、空トレイ収納部３への空のトレイ６の収納（補充）作業と注射薬収容済トレイ保管部４からの注射薬収納済トレイ６の取り出し作業に係る作業効率を確実に、且つ著しく向上させることが出来る極めて優れた利点を有する。
【００１３】
【発明の実施の形態】
＜第一実施形態＞
以下、本発明の一実施形態を図面に従って説明する。図１に於いて、１は処方箋等の注射薬払い出し指示情報等にもとずいた装置駆動命令を順次発するホストコンピュータ（図示せず）に接続された注射薬払出装置を示し、１ａは後述する各種の装置が一体的に設けられた注射薬払出装置本体を示す。
【００１４】
２は前記注射薬払出装置本体１ａの一部を構成すると共に、硝子瓶等に充填された各種の注射薬５をスライドキャビネット２ａに収納する注射薬収納部を示し、前記注射薬５の排出機構（図示せず）を有すると共に、下部には排出機構を介して排出された注射薬５を後述する空トレイ収納部側へと搬送する搬送コンベア２ｃが設けられてなる。尚、本実施形態に係る注射薬収納部２は、夫々が螺子やガイド等の着脱手段（図示せず）を介して着脱自在な小型の各種注射薬５を正面視横三列で収納した第１の注射薬の収納ユニット２Ａと、大型の各種注射薬５を正面視横二列で収納した第２の注射薬の収納ユニット２Ｂとを夫々横一列で連接した構成からなり、しかも前記第１の注射薬の収納ユニット２Ａの搬送コンベア２ｃと第２の注射薬の収納ユニット２Ｂの搬送コンベア２ｃの双方は、夫々の装置内で一直線状に位置決めされることで第１の注射薬の収納ユニット２Ａから排出された注射薬５であっても夫々の搬送コンベア２ｃで受渡して空トレイ収納部３側へと搬送することが出来ることから、前記着脱自在な注射薬の収納ユニットの夫々を介して使用する注射薬５の使用量や種類に即時対応して注射薬収納部２の注射薬５の収納数を簡単に増減することが出来るという極めて優れた汎用性を注射薬払出装置本体に具備させることが出来る利点を備えてなる。
【００１５】
３は空のトレイ６を重合状態で積み重ねて収納すべく前記注射薬収納部２に連接された空トレイ収納部３を示し、該空トレイ収納部３に収納されるトレイ６は、図２及び図３に示す様に、平面視略矩形状で、且つ全体を船形に形成し、一端側に注射薬５の案内傾斜部６ａを形成した注射薬収容部６ｂを有すべく樹脂材によって成形されると共に、該注射薬収容部６ｂの開口周縁には所定の幅を有した鍔部６ｄが周設されてなり、しかも注射薬収容部６ｂの長手方向側で対向する該注射薬収容部６ｂの外側部の夫々には、前記案内傾斜部６ａと反対方向側に所定の寸法でオフセットされ、且つ所定の間隔を有すべく突出した逆三角形状の凸部６ｈが対向して夫々２個設けられ、且つ長手方向側で対向する前記鍔部６ｄの上面の夫々には、前記案内傾斜部６ａよりにオフセットされ、且つ前記凸部６ｈの頂部６ｅの夫々が嵌入可能な間隔を有した矩形状の凹部６ｆが対向して夫々２個設けられ、しかも前記注射薬収容部６ｂの内底部には、該注射薬収容部６ｂの一端側に設けられた注射薬５の案内傾斜部６ａから延設され、且つ該案内傾斜部６ａを滑走してくる注射薬５を注射薬収容部６ｂの他端側まで一直線状に案内するための複数の凹状案内路６ｇが断面視略波形状となるべく並設された構成にしなることから、注射薬収納部２から排出されて搬送コンベア２ｃによって搬送され、且つ該搬送コンベア２ｃから排出される注射薬５を案内傾斜部６ａを介して確実に、且つスムーズに注射薬収容部６ｂまで案内してトレイ６内に収容することが可能となり、よって注射薬５を充填した硝子瓶等の割れやかけ等の破損を確実に防止することが出来る大きな利点を有する。
【００１６】
更に、上記構成からなるトレイ６は、図４（イ）に示す様に、各トレイ６の夫々を同方向に積み重ねた際に上方側に位置するトレイ６の注射薬収容部６ｂの外底部が下方側に位置するトレイ６の注射薬収容部６ｂ内に重合状態に嵌入され、且つトレイ６の夫々を逆方向で交互に積み重ねた際には、同図（ロ）の様に、上方側に位置するトレイ６が、該トレイ６の注射薬収容部６ｂの外側部に突出した凸部６ｈの頂部６ｅを下方側に位置するトレイ６の鍔部６ｄの上面に設けられた矩形状の凹部６ｆに夫々嵌入させることで、下方側に位置するトレイ６の注射薬収容部６ｂ内に所定の空間６ｃを有すべく位置決めされて順次載置することが出来るために、空トレイ収納部３に空トレイ６を最大効率となるべく最多数に収納することが可能となり、よって空トレイ収納部３への空のトレイ６の収納（補充）作業の回数を必要最小限に止めることが出来るだけでなく、注射薬収容部６ｂに注射薬５が収容された場合には、夫々のトレイ６を確実に位置決め載置して一度に多数のトレイ６を安全に回診ワゴン等へ載せ替えたり病室までより安全に運ぶことが出来る利点を備えてなる。
【００１７】
尚、上記の如く空のトレイ６を重合状態で積み重ねて収納する空トレイ収納部３の下方には、図５に示す様に、最下部に位置する空のトレイ６を順次落下させて排出（矢印Ｅ）する所定の機構を有した空トレイ排出装置７が設けられ、且つ該空トレイ排出装置７には、図６（イ）に示す様に、排出される空のトレイ６を載置すると共に前記注射薬収納部２の下部に設けられた搬送コンベア２ｃを介して搬送されてきた注射薬５の排出部１２まで移送（矢印Ｆ）する位置決めコンベア３ｂが前記搬送コンベア２ｃと交差する方向に設けられてなり、しかも該位置決めコンベア３ｂは、同図（ロ）に示す様に、トレイ６の注射薬収容部６ｂの案内傾斜部６ａと交差する方向に位置する注射薬収容部６ｂの一方端側の凹状案内路６ｇが前記排出部１２より排出される注射薬５を受けて案内可能とする所定の位置までトレイ６を移送して一旦停止する構成にしてなることから、注射薬収納部２から排出された注射薬５を搬送する搬送コンベア２ｃの注射薬５の排出部１２にトレイ６を確実に、且つ極めて短時間に位置決めすることが出来る利点がある。
【００１８】
更に、上記の如く位置決めされた空のトレイ６には、搬送コンベア２ｃを介して搬送（矢印Ｇ）されてきた注射薬５が順次搬送コンベア２ｃの排出部１２より排出されて収容されることになるが、この時該排出部１２より排出された注射薬５は、トレイ６は注射薬収容部６ｂの一方端側の案内傾斜部６ａを滑動すると共に、該案内傾斜部６ａと交差する方向に位置する注射薬収容部６ｂの一方端側の凹状案内路６ｇをも滑動して該凹状案内路６ｇに位置決め状態で載置されて注射薬収容部６ｂに収容されることになる。
【００１９】
尚、上記の如く注射薬収容部６ｂの一方端側の凹状案内路６ｇに注射薬５を載置して収容したトレイ６は、同図（ハ）に示す様に、注射薬５を収容する毎に注射薬収容部６ｂの凹状案内路６ｇの幅寸法と略同じ距離に該トレイ６を移送（矢印Ｈ）しては停止する工程を繰り返す位置決めコンベア３ｂを介して一方端側の凹状案内路６ｇから他方端側の凹状案内路６ｇへと順次排出（矢印Ｉ）される注射薬５を載置することになる。
【００２０】
よって、搬送コンベア２ｃの排出部１２から順次排出される注射薬５は、移送，停止を繰り返す位置決めコンベア３ｂの各案内傾斜部６ａ及び凹状案内路６ｇの夫々に位置決め状態で個別に載置されて注射薬収容部６ｂに収容されることから、より確実に注射薬５を充填した硝子瓶等の割れやかけ等の破損を防止することが出来る極めて大きな利点がある。
【００２１】
４は前記空トレイ収納部３に連接され、且つ前記の如く所定本数の注射薬５を収容すると共に、位置決めコンベア３ｂより移しかえられた注射薬収容済のトレイ６を所定の日時保管する注射薬収容済トレイ保管部を示し、該注射薬収容済トレイ保管部４には、図７（イ）に示す様に、注射薬収容済のトレイ６を順次注射薬収容済トレイ保管部の正面（前面）側へと移送（矢印Ｊ）する取り出しコンベア４ｂと、該取り出しコンベア４ｂを介して移送（矢印Ｋ）されたトレイ６の両端側の鍔部６ｄの夫々を下方側より夫々保持すると共に上方へと移送するための保持体８ａを所定の間隔で具備した左右一対の垂直コンベアからなる注射薬収容済トレイ移送装置８が設けられてなり、しかも注射薬収容済トレイ保管部４の所定の箇所には、取り出しコンベア４ｂを介して移送されるトレイ６内へと各種患者情報や注射薬５の払い出しの有無等の処方箋情報を印字によって表示した紙片等の表示体９ａを投入する払出内容告知装置９が設けられてなる。
【００２２】
よって、前記の如く表示体９ａ及び所定本数の注射薬５を収容して注射薬収容済トレイ移送装置８まで取り出しコンベア４ｂを介して移送されてきた注射薬収容済のトレイ６は、同図（ロ）に示す様に、注射薬収容済トレイ移送装置８の駆動（矢印Ｌ）を介して移動する一対の保持体８ａによって両端側の鍔部６ｄの夫々を下方側より夫々保持されて上方へと順次移送（矢印Ｍ）されることから、注射薬５を払い出すための処方箋等の順番と、最上部より順次取り出される注射薬収容済のトレイ６に収容された注射薬５の払い出し内容を容易に一致させることが出来る利点を有するが、該トレイ６内には処方箋情報を印字によって表示した紙片等の表示体９ａが投入されてなることから、処方箋等の内容を印字したトレイラベル等をトレイ６に貼り付ける様な複雑な機構を全く有することなく簡単に、且つ確実にトレイ６内に投入された表示体９ａを介して払い出された注射薬５等の処方箋情報の確認を行うことが出来る種々の利点を有することになり、しいては注射薬５の払い出し内容を容易に一致させてより確実な注射薬５の払い出し管理が可能になるという格別な利点がある。
【００２３】
更に、上記構成からなる注射薬払出装置本体１ａにおいて、１０は前記注射薬収納部２の上部に設けられたスライドキャビネット２ａの開閉等の各種操作を行うための操作パネルを示し、１１は前記空トレイ収納部３及び注射薬収容済トレイ保管部４の各種の動作不良やトレイの在庫切れ等のエラーを外部表示するエラー表示パネルを示す。尚、上記の如く連接された空トレイ収納部３及び注射薬収容済トレイ保管部４の正面（前面）側には、夫々に設けられた観音開きの開閉扉３ａ，４ａが取り付けられた構成にしてなり、しかも前記構成からなる注射薬払出装置本体１ａの下部には、前記各部に設けられた各種コンベアの作動状態や搬出される注射薬５の搬送状態を随時確認することが出来る確認窓１ｂが夫々所定の箇所に複数設けられてなる。
【００２４】
本発明に係る注射薬払出装置１によれば、処方箋等に従って順次払い出される各種注射薬５を収容するための空のトレイ６を積み重ねて収納する空トレイ収納部３が、各種の注射薬５を収納する注射薬収納部２と、処方箋等に従って該注射薬収納部２より払い出された注射薬５を収容する注射薬収容済トレイ６を保管する注射薬収容済みトレイ保管部４との間に設けられてなることから、スタート時に所定の注射薬５を注射薬収納部２から排出させ、その後排出された注射薬５を搬送コンベア２ｃによって搬送し、且つ該搬送コンベア２ｃから排出される注射薬５を待ち構えたトレイ６で受けるだけでトレイ６内に順次注射薬５を落とし込んで収容することが可能となり、よって注射薬収納部２の製品コストを低減させつつ各種メンテナンスも極めて簡単で、しかも最少のスペースに最大数の注射薬５を収納することが出来る大きな利点を有することが出来る。
【００２５】
更に、本発明の注射薬払出装置１によれば、空のトレイ収納部３と注射薬収容済トレイ保管部４が隣合わせに位置決めされて一体的に連接されてなることから、注射薬５を受けた注射薬収納済トレイ６を即時注射薬収容済みトレイ保管部４で保管することが可能となって注射薬５の払い出しから保管までのサイクルを短縮させて装置稼動率を向上させることが出来るだけでなく、空トレイ収納部への空のトレイの収納（補充）作業と注射薬収容済トレイ保管部からの注射薬収納済トレイの取り出し作業に係る作業効率を確実に、且つ著しく向上させることが出来る極めて優れた利点を有する。
【００２６】
尚、上記実施形態において、注射薬収納部は、夫々が螺子やガイド等の着脱手段を介して着脱自在で、且つ各種注射薬を正面視横三列で収納した第１の注射薬の収納ユニットと、各種注射薬５を正面視横二列で収納した第２の注射薬の収納ユニットとを夫々横一列で連接した構成からなるが、要は注射薬収納部に収納される注射薬の収納数を増減可能であれば、必ずしも複数の注射薬の収納ユニットとを夫々横一列で連接する構成でなくともよく、例えば各注射薬の収納ユニットを上下方向に積み重ねて連接する構成であってもよく、各注射薬の収納ユニットの具体的な注射薬の排出手段や搬送手段も決して限定されないのは言うまでもない。
【００２７】
更に、前記第１の注射薬の収納ユニット及び第２の注射薬の収納ユニットに設けられた搬送コンベアの双方は、夫々の装置内で一直線状に位置決めされることで第１注射薬収納ユニットから排出された注射薬であっても夫々の搬送コンベアで受渡して空トレイ収納部側へと搬送することが出来るものであるが、各搬送コンベアの具体的な構造や配置箇所も決して限定されない。
【００２８】
更に、注射薬収納部を構成する前記第１の注射薬の収納ユニット及び第２の注射薬の収納ユニットは各種の注射薬をスライドキャビネットに収納してなるが、該各注射薬収納ユニットの連接数や注射薬収納構造等も決して限定されるものではない。
【００２９】
尚、上記実施形態において、注射薬収容済みトレイ保管部４は空トレイ収納部３と一体的に設けられてなるが、例えば、注射薬収容済トレイ保管部４が、前記注射薬収納部を構成する第１の注射薬の収納ユニット及び第２の注射薬の収納ユニットを介して収納される注射薬の収納数に対応して第１の注射薬収容済トレイの収納ユニット及び第２の注射薬収容済トレイの収納ユニットから構成されていてもよく、この場合には、取り扱う注射薬５の数が著しく増減した場合でも注射薬収納部２に収納される注射薬５の収納数を何時でも容易に、且つ瞬時に増減することが出来る利点を有するだけでなく、注射薬５の増減に対応させて注射薬５を収容したトレイ６の保管数をも増減させることが出来る利点があるが、必ずしも注射薬収納部を構成する注射薬の収納ユニットに対応させて注射薬収容済トレイの収納ユニットを増減させる必要はなく、要は取り扱う注射薬の数量と該注射薬を収容したトレイとの数量のバランスに不都合が生じた場合に何れか一方を増減させて調整すればよく、又特に注射薬５を収容したトレイ６の保管数を増減した場合には、特に病院等における煩雑な夜間業務の円滑化を図ることが出来る利点がある。
【００３０】
然して、本発明に係る注射薬払出装置に用いられる注射薬収容トレイ，注射薬収納部，空トレイ収納部，注射薬収容済トレイ保管部の具体的な連接手段，形状及び構造、更に注射薬の排出及び搬送手段の具体的な形状及び構造等も決して限定されず、要は注射薬払出装置の空トレイ収納部が、各種の注射薬を収納する注射薬収納部と、処方箋等に従って該注射薬収納部より払い出された注射薬を収容する注射薬収容済みトレイを保管する注射薬収容済みトレイ保管部との間に設けられ、しかも注射薬収納部が収納する注射薬の収納数を増減可能であれば各部の具体的な形状、機能、構造等も決して限定されないのは言うまでもない。
【００３１】
【発明の効果】
叙上の様に、本発明は、注射薬収納庫の製品コストを低減させつつ各種メンテナンスも極めて簡単で、しかも最少のスペースに最大数の注射薬を収納することが出来るだけでなく、更に取り扱う注射薬の数が著しく増減した場合でも注射薬収納部の注射薬の収納数を増減可能で、しかも注射薬の収納数の増減に対応して注射薬を収容したトレイの保管数をも増減させることが出来、更に空トレイ収納部への空のトレイの収納（補充）作業と注射薬収容済トレイ保管部からの注射薬収納済トレイの取り出し作業に係る作業効率を確実に、且つ著しく向上させることが出来る極めて優れた注射薬払出装置を提供することが出来るという格別な効果を有するに至った。
【図面の簡単な説明】
【図１】本発明の注射薬払出装置の実施形態を示し、同図（イ）は正面図，同図（ロ）は側面図。
【図２】本発明の注射薬払出装置に用いられるトレイの実施形態を示し、同図（イ）は正面図，同図（ロ）は平面図，同図（ハ）は底面図。
【図３】本発明の注射薬払出装置に用いられるトレイの実施形態を示し、同図（イ）は図２（ロ）のＡ−Ａ線断面図，同図（ロ）は図２（ロ）のＢ−Ｂ線断面図，同図（ハ）は図２（ロ）のＣ−Ｃ線断面図，同図（ニ）は図２（ロ）のＤ−Ｄ線断面図。
【図４】本発明の注射薬払出装置に用いられるトレイの使用状態を示し、同図（イ）は同方向に積み上げた場合の正面図，同図（ロ）は逆方向で交互に積み上げた場合の正面図。
【図５】本発明の注射薬払出装置の空トレイ収納部内を示す要部拡大説明図。
【図６】本発明の注射薬払出装置における注射薬のトレイ収容時の状態を示し、同図（イ），（ロ），（ハ）は一部断面要部拡大説明図。
【図７】本発明の注射薬払出装置の注射薬収容済トレイ保管部を示し、同図（イ）は一部断面要部拡大説明図，同図（ロ）は要部拡大説明図。
【図８】従来の注射薬払出装置を示す正面図。
【符号の説明】
１…注射薬払出装置
１ａ…注射薬払出装置本体
２…注射薬収納部
２Ａ…第１の注射薬の収納ユニット
２Ｂ…第２の注射薬の収納ユニット
３…空トレイ収納部
４…注射薬収納済トレイ保管部
５…注射薬
６…トレイ
７…空トレイ排出装置
８…注射薬収容済トレイ移送装置
９…払出内容告知装置
【図１】
0003877351.tif 000002
【図２】
0003877351.tif 000003
【図３】
0003877351.tif 000004
【図４】
0003877351.tif 000005
【図５】
0003877351.tif 000006
【図６】
0003877351.tif 000007
【図７】
0003877351.tif 000008
【図８】
0003877351.tif 000009